(57)【特許請求の範囲】
【請求項１】
上方開口縁に外向きカール部を有する上拡がりの紙カップ本体と、上方及び下方共に開口しており下方開口縁に内向きカール部を有する上拡がりの紙製の外筒とからなり、外筒はその胴部が紙カップ本体の胴部より裾が少し拡がったテーパーを有しており、紙カップ本体はその外向きカール部に隣接する上端部分が全周に渡って外側方向にさらに拡がるように、すなわち開口部の周長に加え直径方向に０．１〜２．０ｍｍ拡がるように胴部のテーパーと異なるテーパーで斜めに曲げられており、外筒を紙カップ本体に被せて外筒の上端部分の先端を紙カップ本体における外向きカール部の内側に当接させるか食い込ませた状態にし、外筒における上端部分と内向きカール部の少なくともいずれかで紙カップ本体に接着して両者を一体とすることにより形成され、紙カップ本体と外筒の間に空隙が形成されていることを特徴とする断熱性容器。
【請求項２】
外筒の上端部分が全周に渡って内側に閉じる方向に曲げられている請求項１に記載の断熱性容器。
【請求項３】
外筒の胴部上方付近に内側に凹んだ凹状突起が周回方向に設けられている請求項１又は２に記載の断熱性容器。
【請求項４】
外筒の胴部上方付近に設ける周回方向の凹状突起を不連続とした請求項３に記載の断熱性容器。
【請求項５】
紙カップ本体の胴部にその内面側又は外面側に突出する周回方向の突条からなる注入基準線を設けた請求項１〜４のいずれかに記載の断熱性容器。
【請求項６】
紙カップ本体の胴部にその外面側に突出する周回方向の凸状部からなる補強リブを形成した請求項１〜５のいずれかに記載の断熱性容器。
【請求項７】
外筒における印刷された文字や模様の部分が外側への浮きだし部分を形成してなる請求項１〜６のいずれかに記載の断熱性容器。
【請求項８】
外筒における外側面の略全体に渡って微細なエンボス加工が施されてなる請求項１〜７のいずれかに記載の断熱性容器。
【発明の詳細な説明】
【０００１】
【発明の属する技術分野】
本発明は、インスタントラーメンなどの即席食品を入れるカップ状の容器に係り、特に熱湯を注いでそのまま食することのできる断熱性に優れた容器に関するものである。
【０００２】
【従来の技術】
一般に、この種のカップ状をした断熱性容器としては、発泡ポリスチレンなどのプラスチック製のものが多用されてきたが、これらは廃棄した場合に公害問題になることから、これに代わるものとして、例えば実開平４−４５２１２号公報に見られるように、胴部を二重にして断熱用の空隙を形成した紙製の断熱性容器が提案されている。
【０００３】
【発明が解決しようとする課題】
従来の技術で述べた実開平４−４５２１２号公報に記載の断熱性容器は、通常の紙カップに対してテーパーの異なった底なしの外筒を組み合わせるという簡単な構成により断熱効果を有するカップが得られるという利点がある。そして、断熱用の空隙が下方に行くほど大きくなっているので、通常の持ち方では良好な断熱効果を発揮する。しかしながら、上部寄りのところをつかんで持つ状態が長く続くと、断熱効果を発揮する空隙が無いか又は狭いので、段々と熱くなってくるという問題点がある。
【０００４】
本発明は、上記のような問題点を解決するためになされたものであり、その目的とするところは、胴部のいずれの場所を手で持っても内容物の熱が伝わり難い優れた断熱性容器を提供することにある。
【０００５】
【課題を解決するための手段】
上記目的を達成するために、本発明に係る断熱性容器は、上方開口縁に外向きカール部を有する上拡がりの紙カップ本体と、上方及び下方共に開口しており下方開口縁に内向きカール部を有する上拡がりの紙製の外筒とからなり、外筒はその胴部が紙カップ本体の胴部より裾が少し拡がったテーパーを有しており、紙カップ本体はその外向きカール部に隣接する上端部分が全周に渡って外側方向にさらに拡がるように、すなわち開口部の周長に加え直径方向に０．１〜２．０ｍｍ拡がるように胴部のテーパーと異なるテーパーで斜めに曲げられており、外筒を紙カップ本体に被せて外筒の上端部分の先端を紙カップ本体における外向きカール部の内側に当接させるか食い込ませた状態にし、外筒における上端部分と内向きカール部の少なくともいずれかで紙カップ本体に接着して両者を一体とすることにより形成され、紙カップ本体と外筒の間に空隙が形成されていることを特徴としている。さらに、外筒については、その上端部分が全周に渡って内側に閉じる方向に曲げられているように構成してもよいものである。
【０００６】
【発明の実施の形態】
次に、いくつかの例を挙げながら本発明の実施形態について説明する。
【０００７】
図１は本発明に係る断熱性容器の一例を示すもので、左半分及び右半分がそれぞれ側面図と断面図を示す概略構成図であり、図１に示す断熱性容器１０は、紙カップ本体２０と、上方及び下方共に開口した中空円筒状の外筒３０とを組み合わせて構成されている。
【０００８】
紙カップ本体２０は、内面若しくは内外両面にポリエチレン等の合成樹脂をコーティングした紙からなるもので、通常の紙カップと同様に、扇形状のブランクを丸めた胴部２１の下方に円形状の底板２２を巻き締めると共に上方開口縁に外向きカール部２３を形成したものである。また図示紙カップ本体２０は、胴部２１の上方寄りの位置に、内面側に突出する幅の狭い突条２４を周回方向に形成してあり、この突条２４は熱湯を注ぐ時の目安となる注入基準線の役目を果たすようになっている。さらに、紙カップ本体２０の胴部２１の中程には、外面側に突出する周回方向の凸状部２５からなる補強リブを形成してある。なお、これらの突条２４や凸状部２５は、紙カップ本体２０と外筒３０とを組み合わせる前に、雄型・雌型を用いて紙カップ本体２０に形成されるものである。そして、紙カップ本体２０は外向きカール部２３に隣接する上端部分２６が全周に渡って外側方向にさらに拡がるように曲げられている。この上端部分２６の曲げは、外向きカール部２３のカール形成工程時と同時に形成される。
【０００９】
図１の紙カップ本体２０では、図２（ａ）に示すように、胴部２１とテーパーの異なる直線ａを用いた形状により上端部分２６に曲げ加工を施しているが、この他に図２（ｂ）に示すように、曲率Ｒの一つの曲線ｂ（曲率Ｒ）を用いた形状としてもよいし、或いは図２（ｃ）に示すように、曲率Ｒ１  ，Ｒ２  の２つの曲線ｃ，ｄをつないだ形状としてもよい。拡げる寸法は、開口部の周長に加え、紙の厚み、坪量及び伸度により変化するが、カール割れが生じない程度にする必要がある。具体的には、直径方向に０．１〜２．０ｍｍ、好ましくは０．１〜１．０ｍｍ程度である。
【００１０】
一方、中空円筒状の外筒３０は、紙単体若しくは片面又は両面にポリエチレン等の合成樹脂をコーティングした扇形状の紙からできており、胴部３１の下方開口縁に内向きカール部３２が形成されている。ここで、紙カップ本体２０も外筒３０も共に上拡がりであるが、この外筒３０はその胴部３１が紙カップ本体２０の胴部２１より裾が少し拡がったテーパーを有している。そして、外筒３０の胴部上端が紙カップ本体２０における外向きカール部２３の内側に当接するとともに、胴部３１の下方開口縁の内向きカール部３２が紙カップ本体２０の下方の側壁外周に接触する大きさとされている。
【００１１】
そして、紙カップ本体２０に上記構成の外筒３０を被せて差し込み、外筒３０の上端部分３４の先端を紙カップ本体２０における外向きカール部２３の内側に当接させるか食い込ませた状態にし、予め紙カップ本体２０の外向きカール部２３の下側付近の胴部外周面に塗布したエマルジョン系接着剤等の手段により、外筒３０の上端部分３４を紙カップ本体２０における外向きカール部２３の内側に接着して両者を一体化とすることにより、図１に示す断熱性容器１０が形成されている。使用形態によっては、外筒３０の下方開口縁に形成された内向きカール部３２の部分も紙カップ本体２０の下方の側壁外周面に接着して、紙カップ本体２０と外筒３０の結合をより確実にしてもよい。また、外筒３０の上端部分３４の先端を紙カップ本体２０における外向きカール部２３の内側に十分に食い込ませるような場合は、外筒３０における内向きカール部３２の部分を紙カップ本体２０の下方の側壁外周面に接着するだけでも固定することができる。
【００１２】
上記構成の断熱性容器１０においては、紙カップ本体２０の胴部２１と外筒３０の胴部３１の間に空隙が形成され、この空隙の部分が断熱作用を果たす。しかも、紙カップ本体２０の外向きカール部２３に隣接する上端部分２６が全周に渡って外側方向にさらに拡がるように曲げられているので、下方から上方まで空隙がある程度の間隔で形成される。したがって、断熱性容器１０に例えば熱湯を入れた場合、内側の胴部２１の熱が外側の胴部３１に伝わるのが広い範囲に渡って防止され、この種の容器において通常把持されるどの場所をつかんで持っても熱くなることがない。また、上記の例では、紙カップ本体２０の胴部２１に外面側に突出する周回方向の凸状部２５からなる補強リブを形成してあるので、この凸状部２５により紙カップ本体２０の強度が上がると共に、外筒３０の胴部３１が内側に撓まないように支えの役目を果たすので、手で持った場合に紙カップ本体２０の胴部２１と外筒３０の胴部３１の間の空隙が狭くなるのが防止される。
【００１３】
図３は本発明に係る断熱性容器の他の例を示すもので、左半分及び右半分がそれぞれ側面図と断面図を示す概略構成図であり、この例の断熱性容器１０は、図１に示したのと同じ紙カップ本体２０と、図１に示したのとは異なる形状の外筒３０とを組み合わせて構成されている。
【００１４】
この例で使用した外筒３０は、図１の外筒３０の構成に加え、胴部上方付近に内側に凹んだ凹状突起３３を周回方向に設けている。この凹状突起３３の内側面が紙カップ本体２０の胴部上方付近の側壁外周面に接触するか僅かに離れると共に、胴部３１の下方開口縁の内向きカール部３２が紙カップ本体２０の下方の側壁外周に接触する大きさとされている。さらに、図４に拡大して示すように、外筒３０の上端部分３４は全周に渡って内側に閉じる方向にテーパー状に曲げられており、その先端が紙カップ本体２０の外向きカール部２３の内側に当接する大きさになっている。なお、この上端部分３４の曲げは、テーパー状に限るものではなく、図５のように湾曲状態に曲げられていてもよい。
【００１５】
上記の如き外筒３０において、その凹状突起３３は打抜機により板紙からブランクを打ち抜く時に同時に形成されるが、上端部分３４のテーパーや曲げは図６に示すような構造のマンドレル４０を使用して付けられる。このマンドレル４０は、扇形状のブランクを周囲に巻き付けて内向きカール部３２を形成する時に使用するものであるが、このカール形成時と同時に上端部分３４にテーパーを付けたり或いは上端部分３４を彎曲状態にすることができる。すなわち、マンドレル４０は、図６及びその一部拡大図である図７に示すように、最大径側に幅が１ｍｍ、深さが約２ｍｍで２０〜３０度の角度を付けた斜めの溝４１を全周に渡って設け、さらにブランクを巻き付ける時に凹状突起３３が潰れないように逃げ部４２を設けた構造としておく。そして、第１カール工程にてカール型を外筒３０の下部に押し付ける力を利用し、図８に示す如く外筒３０の上端部分３４をマンドレル４０の斜めの溝４１に押し込み、その状態で第２カール工程にて内向きカール部３２を形成する。カール部形成工程の後、外筒３０をマンドレル４０から外すと、外筒３０の上端部分３４が全周に渡って内側にテーパー状に曲げられた形態になる。或いは、溝４１の形状及び溝４１への押込み力を適宜設定することにより上端部分３４を湾曲状に曲げられた形態にすることもできる。
【００１６】
そして、紙カップ本体２０に上記構成の外筒３０を被せて差し込み、外筒３０の上端部分３４の先端を紙カップ本体２０における外向きカール部２３の内側に当接させるか食い込ませた状態にし、予め紙カップ本体２０の外向きカール部２３の下側付近の胴部外周面に塗布したエマルジョン系接着剤等の手段により、外筒３０の上端部分３４を紙カップ本体２０における外向きカール部２３の内側に接着して両者を一体化とすることにより、図３に示す断熱性容器１０が形成されている。或いは、外筒３０の凹状突起３３の内側面を紙カップ本体２０の胴部上方付近の側壁外周面にエマルジョン系接着剤等の手段で接着して両者を一体としてもよい。使用形態によっては、外筒３０の下方開口縁に形成された内向きカール部３２の部分も紙カップ本体２０の下方の側壁外周面に接着して、紙カップ本体２０と外筒３０の結合をより確実にしてもよい。また、外筒３０の上端部分３４の先端を紙カップ本体２０における外向きカール部２３の内側に十分に食い込ませるような場合は、外筒３０における内向きカール部３２の部分を紙カップ本体２０の下方の側壁外周面に接着するだけでも固定することができる。
【００１７】
上記構成の断熱性容器１０においては、紙カップ本体２０の胴部２１と外筒３０の胴部３１の間に空隙が形成され、この空隙の部分が断熱作用を果たす。しかも、外筒３０の胴部上方付近には内側に凹んだ凹状突起３３を設けてあるので、下方からこの凹状突起３３のところまで空隙がある程度の間隔で形成される。したがって、断熱性容器１０に例えば熱湯を入れた場合、内側の胴部２１の熱が外側の胴部３１に伝わるのが広い範囲に渡って防止され、この種の容器において通常把持されるどの場所をつかんで持っても熱くなることがない。また、この例においても、紙カップ本体２０の胴部２１には外面側に突出する周回方向の凸状部２５からなる補強リブを形成してあるので、この凸状部２５により紙カップ本体２０の強度が上がると共に、外筒３０の胴部３１が内側に撓まないように支えの役目を果たすので、手で持った場合に紙カップ本体２０の胴部２１と外筒３０の胴部３１の間の空隙が狭くなるのが防止される。
【００１８】
図９は本発明に係る断熱性容器のさらに他の例を示すもので、左半分及び右半分がそれぞれ側面図と断面図を示す概略構成図であり、この例の断熱性容器１０は、図３に示したのと同じ紙カップ本体２０と、図３に示したのとは異なる形状の外筒３０とを組み合わせて構成されている。
【００１９】
この例で用いた外筒３０は、胴部上方付近に内側に凹んだ凹状突起３３を周回方向に設けている点は図３のものと同じであるが、外筒３０の上端部分は内側に閉じる方向に曲げられてはおらず、真っ直ぐなままの状態である。胴部上方付近に凹状突起３３を設けた外筒３０を使用する場合、この部分が内側に出っ張るため、上端部分３４が紙カップ本体２０における外向きカール部２３の内側に当接しないことが考えられるが、紙カップ本体２０における上端部分２６の外側方向への曲げが大きい場合や、外筒３０の凹状部分３３の内側への凹みが小さい場合は、この例のように外筒３０の上端部分３４が真っ直ぐのままでもよい。
【００２０】
図１０は図３に示した断熱性容器の変形例を示すもので、左半分及び右半分をそれぞれ側面図と断面図で示す概略構成図である。この図１０に示される断熱性容器１０は、図３に示したものと略同じ構成をしているが、印刷する文字や模様が外側への浮きだし部分３５を形成するようにエンボス加工を施してなる板紙にて外筒３０を形成した点が異なっている。この浮きだし部分３５は、すべての文字や模様の部分について形成する必要はなく、強調したい文字や模様のみにしてもよい。このような構成の断熱性容器１０は図３の断熱性容器１０と同様な断熱作用を発揮するが、特に浮きだし部分３５では空隙が広いために断熱作用が大きくなる。
【００２１】
図１１は図３に示した断熱性容器の別の変形例を示すもので、左半分及び右半分をそれぞれ側面図と断面図で示す概略構成図である。この図１１に示される断熱性容器１０は、図３に示したものと略同じ構成をしているが、外側となる面の全体に渡って微細なエンボス加工を施してなる板紙にて外筒３０を形成した点が異なっている。このような構成の断熱性容器１０は図３の断熱性容器１０と同様な断熱作用を発揮するが、紙カップ本体２０と外筒３０の間の空隙による断熱効果が発揮されるのに加え、外筒３０の表面の微細凹凸により持ちやすい上に手に熱が伝わりにくく、全体的に断熱効果が一層優れたものとなる。なお、図１１の例ではエンボス加工による凹凸模様を外筒における胴部の全面に渡って形成したが、凹凸模様を形成しない部分を一部に残した形態にしてもよい。例えば、手で持つ領域を考慮して胴部の上下に帯状に残してもよいし、またデザインを考慮して名前の部分などを模様状に残してもよい。
【００２２】
図１２は図３に示した断熱性容器のさらに別の変形例を示すもので、左半分及び右半分をそれぞれ側面図と断面図で示す概略構成図である。この図１２に示される断熱性容器１０は、図３に示したものと略同じ構成をしているが、外側となる面の略全体に渡って微細なエンボス加工を施すとともに、印刷する文字や模様が外側への浮きだし部分３５を形成するようにエンボス加工を施してなる板紙にて外筒３０を形成した点が異なっている。この浮きだし部分３５は、すべての文字や模様の部分について形成する必要はなく、強調したい文字や模様のみにしてもよい。このような構成の断熱性容器１０は図３の断熱性容器１０と同様な断熱作用を発揮するが、特に浮きだし部分３５では空隙が広いために断熱作用が大きくなり、また外筒３０の表面の微細凹凸による断熱作用も加わり、全体的に断熱効果が一層優れたものとなる。なお、図１２の例ではエンボス加工による凹凸模様を外筒における胴部の全面に渡って形成したが、凹凸模様を形成しない部分を一部に残した形態としてもよい。例えば、手で持つ領域を考慮して胴部の上下に帯状に残してもよいし、またデザインを考慮して浮きだし部分３５となるところを残すようにしてもよい。
【００２３】
図１０〜図１２に示した各断熱性容器も、図３の断熱性容器１０と同様、紙カップ本体２０にこの構成の外筒３０を被せて差し込み、外筒３０の上端部分３４の先端を紙カップ本体２０における外向きカール部２３の内側に当接させるか食い込ませた状態にし、予め紙カップ本体２０の外向きカール部２３の下側付近の胴部外周面に塗布したエマルジョン系接着剤等の手段により、外筒３０の上端部分３４を紙カップ本体２０における外向きカール部２３の内側に接着して両者を一体化とすることにより組み立てられる。或いは、外筒３０の凹状突起３３の内側面を紙カップ本体２０の胴部上方付近の側壁外周面にエマルジョン系接着剤等の手段で接着して両者を一体としてもよい。また、外筒３０の下方開口縁に形成された内向きカール部３２の部分も紙カップ本体２０の下方の側壁外周面に接着してもよい。また、外筒３０の上端部分３４の先端を紙カップ本体２０における外向きカール部２３の内側に十分に食い込ませるような場合は、外筒３０における内向きカール部３２の部分を紙カップ本体２０の下方の側壁外周面に接着するだけでも固定できる。
【００２４】
なお、上述の各例では、熱湯を注ぐ時の目安となる注入基準線として、紙カップ本体２０の胴部２１の上方寄りの位置にて内面側に突出する幅の狭い突条２４を周回方向に形成したが、この突条２４は外面側に突出してあっても構わない。また、いずれの場合も、貼り合わせのための接着剤の位置は注入基準線よりも上方となるようにするのが好ましい。
【００２５】
また、外筒３０の胴部上方付近に凹状突起３３を設ける場合、この凹状突起３３は胴部３１の繋ぎ目を残して全周に渡って帯状で連続状態で形成してもよいし、不連続状態で設けるようにしてもよい。そして、不連続に設ける場合、凹状突起の形状としては帯状の他に、円形状や楕円状を始めとしてその他の任意の形状でよい。
【００２６】
【発明の効果】
本発明の断熱性容器は、上方開口縁に外向きカール部を有する上拡がりの紙カップ本体と、上方及び下方共に開口しており下方開口縁に内向きカール部を有する上拡がりの紙製の外筒とからなり、外筒はその胴部が紙カップ本体の胴部より裾が少し拡がったテーパーを有しており、紙カップ本体はその外向きカール部に隣接する上端部分が全周に渡って外側方向にさらに拡がるように、すなわち開口部の周長に加え直径方向に０．１〜２．０ｍｍ拡がるように胴部のテーパーと異なるテーパーで斜めに曲げられており、外筒を紙カップ本体に被せて外筒の上端部分の先端を紙カップ本体における外向きカール部の内側に当接させるか食い込ませた状態にし、外筒における上端部分と内向きカール部の少なくともいずれかで紙カップ本体に接着して両者を一体とすることにより形成され、紙カップ本体と外筒の間に空隙が形成されている構成としたので、胴部の下部から上部に至る広い範囲に渡って断熱用の空隙がある程度の間隔で形成されることから、胴部のいずれの場所を手で持っても内容物の熱が伝わりにくいという断熱性に優れたものとなる。そして、紙カップ本体と外筒の組立に際しては、紙カップ本体の上端部分が外側に拡がっており、外筒の上端が紙カップ本体の外向きカール部の内側に当接するか食い込むので、外向きカール部の下側に衝突するのが防止されることから、外筒を紙カップ本体にスムースに差し込むことができ、外観不良を生じることがない。
【００２７】
また、外筒の形状を、その胴部上方付近に内側に凹んだ凹状突起を周回方向に設けた構成とすることにより、下方からこの凹状突起のところまで空隙がある程度の間隔で形成され、手で持った場合に凹状突起が支えの役目を果たし空隙が狭くなるのが防止されることから、断熱効果が一層優れたものとなる。
【００２８】
また、印刷する文字や模様が外側への浮きだし部分を形成するようにエンボス加工を施した板紙にて外筒を形成することにより、外筒の表面に印刷する文字や模様が浮きだし部分により突き出た状態になるので、断熱作用が良好になる上に、その凹凸により文字や模様が強調されるというデザイン的にも優れた意匠を付与したものとなる。
【００２９】
また、外側となる面の略全体に渡って微細なエンボス加工を施してなる板紙にて外筒を形成することにより、外筒の表面にエンボス加工による凹凸があるので、手で持ちやすい上に熱が手に伝わりにくく、しかもその凹凸の模様によりデザイン的にも従来にない意匠を付与したものを得ることができる。
【図面の簡単な説明】
【図１】本発明に係る断熱性容器の一例を示すもので、左半分及び右半分がそれぞれ側面図と断面図を示す概略構成図である。
【図２】図１に示す断熱性容器を構成する紙カップ本体における上端部分の曲げ加工の形態を示す説明図である。
【図３】本発明に係る断熱性容器の他の例を示すもので、左半分及び右半分がそれぞれ側面図と断面図を示す概略構成図である。
【図４】図３に示す断熱性容器を構成する外筒の右上部を示す拡大説明図である。
【図５】図４に示す外筒の変形例を示す一部拡大図である。
【図６】図３に示す断熱性容器の外筒を作製するのに使用されるマンドレルの側面図である。
【図７】図６におけるＡ部分の拡大断面図である。
【図８】図６のマンドレルにより外筒の上端部分にテーパーを付ける様子を示す説明図である。
【図９】本発明に係る断熱性容器のさらに他の例を示すもので、左半分及び右半分がそれぞれ側面図と断面図を示す概略構成図である。
【図１０】図３に示した断熱性容器の変形例を示すもので、左半分及び右半分をそれぞれ側面図と断面図で示す概略構成図である。
【図１１】図３に示した断熱性容器の別の変形例を示すもので、左半分及び右半分をそれぞれ側面図と断面図で示す概略構成図である。
【図１２】図３に示した断熱性容器のさらに別の変形例を示すもので、左半分及び右半分をそれぞれ側面図と断面図で示す概略構成図である。
【符号の説明】
１０  断熱性容器
２０  紙カップ本体
２１  胴部
２２  底板
２３  外向きカール部
２４  突条
２５  凸状部
２６  上端部分
３０  外筒
３１  胴部
３２  内向きカール部
３３  凹状突起
３４  上端部分
３５  浮きだし部分
４０  マンドレル
４１  溝
４２  逃げ部
【図１】
0003544883.tif 000002
【図２】
0003544883.tif 000003
【図３】
0003544883.tif 000004
【図４】
0003544883.tif 000005
【図５】
0003544883.tif 000006
【図６】
0003544883.tif 000007
【図７】
0003544883.tif 000008
【図８】
0003544883.tif 000009
【図９】
0003544883.tif 000010
【図１０】
0003544883.tif 000011
【図１１】
0003544883.tif 000012
【図１２】
0003544883.tif 000013